Podtech/llm-jp-corpus-v4-ja_patent huggingface dataset:
(57)【要約】      （修正有）【課題】ナットとボルトを螺着するに当り、それらが回転してずれないようにナットに回転防止のための穴付小ねじを取り付けること。【解決手段】六角ボルト又は六角穴付ボルト、六角穴付止めねじ、全ねじ３等に螺合させるナット又はジョイントナット２において、特に、ナット又はジョイントナットを六角穴付止めねじ、全ねじ等と螺合させるに当り、所定の寸法位置に正確に固定させるために、ずれ止めとしての穴付小ねじ１を、ナットの外側からボルト中心部に向けて装着させたことを特徴とするナット。【選択図】図１
0003122454.tif 000002
【実用新案登録請求の範囲】
【請求項１】
六角ボルト又は六角穴付ボルト、六角穴付止めねじ、全ねじ等３に螺合させるナット又はジョイントナット２において、特に、ナット又はジョイントナット２を六角穴付止めねじ、全ねじ等３と螺合させるに当り、所定の寸法位置に正確に固定させるために、ずれ止めとしての穴付小ねじ１を、ナット２の外側からボルト３中心部に向けて装着させたことを特徴とするナット。
【考案の詳細な説明】
【技術分野】
【０００１】  本考案は、建造物造成時に生ずる広範囲に使用されるボルトとナットの使用箇所において、コンクリート建築の壁面形成時のコンクリート打ち放し型枠として使用する二枚のパネルを固定するピーコンと全ねじであるセパレーターとの螺合、及び、建造物内部に空調、ガス、その他の管を取り付ける管継手の懸垂固定に使用するボルトとナットとのゆるみ、ずれ等を防止して正確に固定させるためのナット及びジョイントナット類に係るものである。
【背景技術】
【０００２】  従来、鉄筋コンクリート建造物の壁面形成にコンクリート打ち放し工事をする際、二枚のパネルをセパレーターとピーコンで等間隔に取り付ける場合、セパレーターがずれてパネルの間隔が微妙に狂ってきたり、その他、木造建築においてホールダウン金物を取りつけるに当たって緩みが生じたり、筋交いほかボルト、ナットで固定する部分では、緩みの生ずる恐れがあると考えられる全ての部分の使用に供せられる。【０００３】  前記したコンクリートの型枠となる二枚のパネルの間隔を正確に同寸法に保つには、全ねじであるセパレーターと螺合するピーコンの雌ねじとをセットした後何れも回ってしまってはならないところ、作業中にずれが生じてしまうことが多々起きてしまう。【０００４】  セパレーターが比較的短い場合は微調整が効くが、全ねじであるセパレーターが１００ｃｍ近くの長さになると所定の長さが保てず、両パネル間隔がずれてしまう危惧がある。そのような場合どうしても穴付小ねじを備えた通常の六角ナット又はジョイントナットの必要性が出てくる。
【考案の開示】
【考案が解決しようとする課題】
【０００５】  本考案は、その点に着目し一度締めて固定したナット又はジョイントナットをボルトから回動してずれが生じないよう、それらナットの外周から穴付小ねじを挿通してボルトを固定することを課題として成されたものである。
【課題を解決するための手段】
【０００６】  本考案は、次の通りの構成を有するものである。
六角ボルト又は六角穴付ボルト、六角穴付止めねじ、全ねじ等３に螺合させるナット又はジョイントナット２において、特に、ナット又はジョイントナット２を六角穴付止めねじ、全ねじ等３と螺合させるに当り、所定の寸法位置に正確に固定させるために、ずれ止めとしての穴付小ねじ１を、ナット２の外側からボルト３中心部に向けて装着させたことを特徴とするナット。
【考案の効果】
【０００７】  本考案は、特に全ねじの中間にナットを設定する場合に、所定の寸法から作業中にナットがずれて寸法にずれが生じてしまうことが多々起こりうる。特にコンクリート壁建造時にコンクリート打ち放し型枠作成時の二枚のパネルをセットする折り、セパレーターとピーコンを螺着させる時にセパレーターに取りつけるナット又はジョイントナットに穴付小ねじを設けたものを使用することによって寸法のずれを防止することが可能になる。【０００８】  その他、コンクリート建築には限らないが、天井裏等に配設する水道管、ガス管、通気管を懸垂取り付けする場合にナット付銅管アダプターやナット付銅エルボ等のナットが使用されるが、それらのナットとして本考案に係る穴付小ねじ付ナットを使用することが好ましい。
【考案を実施するための最良の形態】
【０００９】  住宅建築に関して、コンクリート建築及び木造建築に限らず、携わる業種として電気工事、ガス関係、水道関係、ダクト屋等多くのものがあるが、そこには広範囲にナット又はジョイントナット類が使用されるところである。本考案に係るジョイントナット２はは通常２５ｍｍ〜６０ｍｍほどの長さを有するが、このジョイントナット２には左右に２カ所の穴付小ねじ１を取り付ける。セパレーター３は通常、長さが１０ｃｍ〜１００ｃｍで、太さは一般的に全ねじと同様７ｍｍで特殊には９ｍｍ、１２ｍｍのものもある。本考案のナット及びジョイントナット類２に取り付けられる穴付小ねじ１は、好ましくは長さは１０ｍｍ程度で太さは３．５ｍｍである。
【実施例】
【００１０】  実施例として、図面との対比において説明すると、図１はジョイントナット２とセパレーター３を螺着した正面図で、図２はピーコン４が雌ねじ５と六角ナット６及び雄ねじ７と一体化されている部分と、穴付小ねじ１を備えたナット２の正面説明図を示し、図３はナット２及び穴付小ねじ１、セパレーター（全ねじ）３の拡大正面図である。【００１１】  コンクリートの打ち放し工事で、二枚のパネルを固定させる際に、全ねじ３を使用してピーコン４と螺着させる場合、正確に長さを決めてとどめることは困難なことで、ナット２が回転して寸法にずれが生ずるが、本考案に係る穴付小ねじ１を備えたジョイントナット２を使用することによって、コンクリートを流し込む両パネルを保持しているセパレーター３を正確な間隔で止められるため厚みの一定なコンクリート壁を形成できたものである。
【産業上の利用可能性】
【００１２】  本考案に係る穴付小ねじを備えたナット及びジョイントナットを使用することにより、通気管、水道管、ガス管その他家屋内の設定時に、管継手の部分や管そのものが歪まないよう全ねじを経時的にも固定することが可能で、特にそれら一つ一つの部品が新しいほどナットが回ってしまったり、いったん固定したところに狂いが生じてしまうことになる。それらを解決することが可能な本考案に係る部品は、しかるべき部署において有効に使用される。
【図面の簡単な説明】
【００１３】
【図１】本考案に係るジョイントナットの正面図
【図２】本考案に係るナットをピーコンとセパレーターの螺着に用いた正面図
【図３】本考案に係るナットとセパレーターの拡大図
【符号の説明】
【００１４】１  穴付小ねじ
２  ジョイントナット
３  全ねじ
４  ピーコン
５  雌ねじ
６  六角ナット
７  雄ねじ
【図１】
0003122454.tif 000003
【図２】
0003122454.tif 000004
【図３】
0003122454.tif 000005
(57)【要約】【課題】カーテン生地とポリエチレン透明シートとカーボンシートからなり、たたみ巾があるカーテンを提供すること。【解決手段】カーテン生地２で中空を有するポリエチレン透明シート３とカーボンシート４を挟み込んで重ね合わせ、たたみ巾５を縫製し、ひも又はチェーンを取り付けたことを特徴とする。【選択図】図１
0003122459.tif 000002
【実用新案登録請求の範囲】
【請求項１】
カーテン生地２で中空を有するポリエチレン透明シート３とカーボンシート４を挟み込んで重ね合わせ、たたみ巾５を縫製し、ひも又はチェーンを取り付けたことを特徴とするカーテン。
【考案の詳細な説明】
【技術分野】
【０００１】この考案は、カーテンに関するものである。
【背景技術】
【０００２】カーテン生地とポリエチレン透明シートとカーボンシートからなり、たたみ巾があるカーテンはなかった。
【考案の開示】
【考案が解決しようとする課題】
【０００３】カーテン生地とポリエチレン透明シートとカーボンシートからなり、たたみ巾があるカーテンを提供することにある。
【課題を解決するための手段】
【０００４】カーテン生地２で中空を有するポリエチレン透明シート３とカーボンシート４を挟み込んで重ね合わせ、たたみ巾５を縫製し、ひも又はチェーンを取り付ける。
【考案の効果】
【０００５】カーテン生地とポリエチレン透明シートを重ねあわせたので、保温、保冷を保つことができる。カーテン生地とポリエチレン透明シートとカーボンシートを重ね合わせたので、窓の結露が生じた場合発生するカビを防ぐ働きや有害物質ホルムアルデヒドなどを吸着することができる。又、たたみ巾を縫製したのでたたむことができる。
【考案を実施するための最良の形態】
【０００６】カーテン生地２で中空を有するポリエチレン透明シート３とカーボンシート４を挟み込んで重ね合わせ、たたみ巾５を縫製し、ひも又はチェーンを取り付ける。
【実施例１】
【０００７】図１は、カーテン生地２で中空を有するポリエチレン透明シート３とカーボンシート４を挟み込んで重ね合わせ、上下方向にたたみ巾５を縫製したカーテンとカーテン本体１の断面を表している。【０００８】図２は、一側端にたたんだ状態のカーテン生地２で中空を有するポリエチレン透明シート３とカーボンシート４を挟み込んで重ね合わせ、上下方向にたたみ巾５を縫製したカーテンを表している。【０００９】図３は、カーテンレールに吊り下げて窓全体を覆っているカーテン生地２で中空を有するポリエチレン透明シート３とカーボンシート４を挟み込んで重ね合わせ、上下方向にたたみ巾５を縫製したカーテンを表している。
【実地例２】
【００１０】図４は、ひも６又はチェ−ンを取り付け、カーテン生地２で中空を有するポリエチレン透明シート３とカーボンシート４を挟み込んで重ね合わせ、水平方向にたたみ巾５を縫製したカーテンを表している。
【００１１】図５は、ひも６又はチェ−ンを取り付け、一側端にたたんだ状態のカーテン生地２で中空を有するポリエチレン透明シート３とカーボンシート４を挟み込んで重ね合わせ、水平方向にたたみ巾５を縫製したカーテンを表している。
【図面の簡単な説明】
【００１２】
【図１】実施例１の上下方向にたたみ巾５を縫製し、カーテン本体１の断面を表したカーテンの概要図である。
【図２】実施例１の一側端にたたんだ状態のカーテンの概観図である。
【図３】実施例１の吊り下げたカーテンの概観図である。
【図４】実施例２の水平方向にたたみ巾５を縫製し、ひも６又はチェ−ンを取り付けたカーテンの概観図である。
【図５】実施例２ひも６又はチェ−ンを取り付け、一側端にたたんだ状態のカーテンの概観図である。
【符号の説明】
【００１３】１  カーテン本体
２  カーテン生地
３  ポリエステル透明シート
４  カーボンシート
５  たたみ巾
６  ひも
【図１】
0003122459.tif 000003
【図２】
0003122459.tif 000004
【図３】
0003122459.tif 000005
【図４】
0003122459.tif 000006
【図５】
0003122459.tif 000007
(57)【要約】【課題】木製食器棚において、従来蒸気に弱く破損の原因となるため開口収納スペース１から引き出して使用する必要のあった蒸気を発する電化製品の使用を、食器棚の破損防止措置を施すことにより開口収納スペースから引き出すことなく内部に収納した状態で使用を可能にし、厨房作業に於いてより広い作業スペースの確保と安全性の向上を計る。【解決手段】開口収納スペース１を備えた木製食器棚において、開口部分を構成する本体の接合部に対して、家電製品から発生する蒸気の浸透による木製部分の破損を防ぐため、耐水性材料８を用い防水気密加工を行った。【選択図】図１
0003122453.tif 000002
【実用新案登録請求の範囲】
【請求項１】
電気炊飯器、オーブンレンジなどの厨房用電気製品の収納を目的とした開口収納スペースを備えた木製食器棚において、家電製品から発生する蒸気の浸透による木製部分の破損を防ぐため、耐水性材料を用いオープン部分を構成する本体の接合部に対して防水気密加工を行った事を特徴とする木製食器棚。
【考案の詳細な説明】
【技術分野】
【０００１】  本考案は、電気炊飯器、オーブンレンジなどの厨房用電気製品の収納を目的とした開口収納スペースを備えた木製食器棚に関するものである。
【背景技術】
【０００２】  主に食器の収納を目的とする食器棚の多くはプリント化粧板、中密度圧縮合板（ＭＤＦ）、パーチクルボードなどを構造材料に用いている。また、多くの食器棚が電気炊飯器、オーブンレンジ、電気ポットなどの厨房用電気製品の収納を目的とする開口収納スペース１を有する構造である。【０００３】  しかし、開口収納スペース内で電気炊飯器、電気ポットなど蒸気を発生するものを使用した場合、蒸気が食器棚の構造材料である中密度圧縮合板（ＭＤＦ）やパーチクルボードに触れ、それらの材料が水分を吸収し、その結果材料が膨張し食器棚の寿命を著しく低下させてしまうという問題がある。【０００４】そこで、蒸気を発する電気製品を使用する場合、食器棚の開口収納スペースの地板７に別に取り付けてあるスライドカウンター２に電気製品を載せ、カウンターを前に引き出し蒸気が直接キャビネットに当たらない位置でそれらを使用する必要がある。【０００５】  この場合、蒸気を発する電気製品を使用するたびにスライドカウンターを前に引き出して使用するということで、食器棚から電気製品が飛び出した状態で使用することとなり、厨房作業に於いて動線上の障害となるばかりか、非常に高温となる電化製品を空間に飛び出た不安定で危険な状態で使用することとなる。
【考案が解決しようとする課題】
【０００６】  本考案は、食器棚の開口収納スペースにおいて、従来蒸気に弱く破損の原因となるため開口収納スペースから引き出して使用する必要のあった蒸気を発する電化製品の使用を、食器棚の耐蒸気性を高めることにより蒸気による食器棚の破損を防止し、開口収納スペースから引き出すことなく内部に収納した状態で使用を可能にする事を目的とする。
【課題を解決するための手段】
【０００７】  本考案は、電気炊飯器、オーブンレンジなどの厨房用電気製品の収納を目的とした開口収納スペースを備えた木製食器棚において、蒸気の浸透により木部破損のおそれのある本体開口部の部材接合部分に対して、耐水性材料を用い蒸気に対しての気密性を確保するたの防水気密加工を行った事を特徴とする。
【考案の効果】
【０００８】  本考案により、木製食器棚の開口収納スペース内部の耐蒸気性を確保することにより、開口収納スペースに電化製品を収納した状態のまま蒸気を発する電気製品の使用が可能となる。この結果、厨房作業におけるより広い作業スペースの確保、また安全性の向上が期待できる。
【考案を実施するための最良の形態】
【０００９】  蒸気の浸透により木部破損のおそれのある開口部の部材接合部分に対してシリコンボンドを用いて防水気密加工を行うと同時に、オープン部分の表面材、すなわち天板３、左右側板４、５、背板６、に関しても耐蒸気性に優れるメラミン板、アルミ板などを使用することが望ましい。また、気密加工に関しては、シリコンボンドのみで部材接合部分を直接シールする方法もあるが、長期間の使用によるシリコンの劣化、また意匠性を考慮し、シリコンボンド＋プラスチック又はアルミ材８による接合部カバーリングが最良と考える。
【実施例】
【００１０】  図１は、本考案の１実施例の正面図、図２は側面断面図、図３は開口収納スペースの拡大図である。【００１１】  図１、及び図２に示すように本考案が対象とする食器棚は、天板３、左右側板４、５、背板６、地板７から構成される開口収納スペース１を有している。【００１２】  開口スペース内部１に使用する表面材はメラミン板、ないしはアルミ板を用いる。その他に塩ビシート、ＰＥＴシートなどの耐水性の高いプラスチック系のシート材を用いることも有効である。【００１３】  天板３、左右側板４、５、背板６の接合部から内部の木製構造材である中密度圧縮合板（ＭＤＦ）やパーチクルボードに蒸気が浸透することを防止するために、各接合部に対してシリコンボンドを用いて防水気密加工を行う。【００１４】  本形態に関してはアルミ製アングル８をそれぞれ接合部に同じくシリコンボンドを用いて接着することにより、シリコンの長期使用による劣化、キャビネットの意匠性の向上を計る。
【図面の簡単な説明】
【００１５】
【図１】  厨房用電気製品の収納を目的とした開口収納スペースを備えた木製食器棚の実施形態正面図である。
【図２】  実施形態側面図である。
【図３】  実施形態の開口収納スペースの拡大図である。
【符号の説明】
【００１６】  １    開口収納スペース
２    スライドカウンター
３    天板
４    側板
５    側板
６    背板
７    地板
８    気密加工材（シリコンボンド＋アルミアングル）
【図１】
0003122453.tif 000003
【図２】
0003122453.tif 000004
【図３】
0003122453.tif 000005
(57)【要約】【課題】  ＬＡＮケーブルを挟み込み、コンピュータのセキュリティロックスリットに嵌合、施錠して、コンピュータの盗難防止を図る。【解決手段】  先端にＬ形突起部があり、中ほどにＬＡＮケーブル保持切欠きを作り、下部に鍵穴を穿った２枚の相似形の鉄板を、相対してリベット止めをしたコンピュータ盗難防止金具である。【選択図】図３
0003122455.tif 000002
【実用新案登録請求の範囲】
【請求項１】
先端部に固定用Ｌ形突起を持ち、突起部の根元に結合リベット用の孔を穿ち、中間部にはＬＡＮケーブルを通し得るＬＡＮケーブル保持切欠きがあり、金具下部には南京錠のツルを通して施錠を可能とする鍵穴を穿った鉄板を２枚、相対する形とし、本体結合用の穴を通してリベットで結合させたコンピュータ盗難防止金具で、先端固定用Ｌ形突起部をコンピュータのセキュリティロックスロットの奥まで挿入して、２枚の鉄板のＬＡＮケーブル保持切欠きで、ＬＡＮケーブルを挟み込むことができ、２枚の鉄板の鍵穴を合わせて南京錠のツル部を通して施錠することにより、当該金具先端部は、パーソナルコンピュータのセキュリティロックスロットの深部に嵌合して、抜けなくなり、金具中央部の切込みによってＬＡＮケーブルを挟み込み、鍵穴を通して施錠することのできるパーソナルコンピュータ盗難防止金具。
【考案の詳細な説明】
【技術分野】
【０００１】  本考案は、デスクトップコンピュータ又はラップトップコンピュータの盗難防止を図るためＬＡＮケーブルとコンピュータの間の施錠を施すことのできる金具にかかるものである。
【背景技術】
【０００２】  コンピュータの盗難を防止するツールとして、コンピュータを操作卓上に固定するものや、コンピュータのセキュリティロックスロットに固定した金具と操作卓の間を鋼線等で接続し施錠する方法などが提案されていた。その為には、操作卓側には固定用器具またはしかるべき工作及び鋼線の引き止め手段を必要であった。また、鋼線等の配置は、卓上の整理上、美観上必ずしも使用者に好感を持たれるものではなかった。
【考案の開示】
【考案が解決しようとする課題】
【０００３】  コンピュータのセキュリティロックスロットに挿入固定し、ＬＡＮケーブルを貫通して施錠できる構造の金具とすること、操作が簡便であり、コンピュータの盗難防止効果があること、及び専用の鋼線、鋼索を必要とせず、コンピュータの設置、操作卓に工作の必要がないことを課題としている。
【課題を解決するための手段】
【０００４】  先端部に固定用Ｌ形突起を持ち、突起部の根元に結合リベット用の孔を穿ち、中間部にはＬＡＮケーブルを通し得るＬＡＮケーブル保持切欠きがあり、金具下部には南京錠のツルを通して施錠を可能とする鍵穴を穿った鉄板を２枚、相対する形で、本体結合用の穴を通してリベットで鋏状に結合させたコンピュータ盗難防止金具とする。【０００５】  固定にあたっては、Ｌ形突起部を重なるように金具を開き、ＬＡＮケーブル保持切欠きにＬＡＮケーブルを挟んだ状態で、コンピュータのセキュリティロックスリットに挿入し、Ｌ型突起部が最深部に到達した後、金具を閉めて、金具がセキュリティロックスリットに嵌合した状態とし、且つＬＡＮケーブル保持切欠きがＬＡＮケーブルを挟み込む状態とする。この状態で、鍵穴を重ね合わせて施錠を可能とする。
【考案の効果】
【０００６】  コンピュータの接続、施錠、開錠が簡便であり、施錠後は確実にＬＡＮケーブルを保持するので、盗難防止効果がある。また、脱着は容易である。【０００７】  このコンピュータ盗難防止金具は小型軽量でシンプルな構造である。この金具を使用するための特別な引き留め鋼線、索を必要としない。また、コンピュータの設置台、操作卓にはいかなる処置、工作も必要としない。更に、机上の整理上、美観上効果がある。
【図面の簡単な説明】
【０００８】
【図１】本体の平面分解図である。金具１と金具２をリベットで結合して本体を構成する。
【図２】盗難防止金具挿入要領図である。本体をコンピュータのセキュリティロックスロットに挿入する要領を示している。
【図３】盗難防止金具取付要領図である。本体により、コンピュータとＵＴＰケーブルは、施錠によって分離できなくなる。
【符号の説明】
【０００９】  １  盗難防止金具本体
２  固定用Ｌ形突起部
３  本体結合リベット
４  ＬＡＮケーブル保持切欠き
５  鍵穴
６  金具１
７  金具２
８  コンピュータのセキュリティロックスリット部
９  ＬＡＮケーブル
【図１】
0003122455.tif 000003
【図２】
0003122455.tif 000004
【図３】
0003122455.tif 000005
(57)【要約】【課題】  一本の帯で他種類の意匠を実現する。【解決手段】  帯１の全長方向の中央付近を境に、色彩または模様または色彩及び模様からなる意匠を両方向で違える。【選択図】      図１
0003122307.tif 000002
【実用新案登録請求の範囲】
【請求項１】
全長方向の中央付近を境に、色彩または模様または色彩及び模様からなる意匠を両方向で違えたことを特徴とする和装用帯。
【請求項２】
片方向の表面の意匠に対して他方向の表面の意匠を違えた請求項１記載の和装用帯。
【請求項３】
片方向の表面の意匠に対して他方向の裏面の意匠を違えた請求項１または２記載の和装用帯。
【考案の詳細な説明】
【技術分野】
【０００１】
この考案は和装に使用する帯に関し、より詳細には締め方によって色彩や模様を変化させることを可能とした帯に関する。
【背景技術】
【０００２】
長尺の布片を胴に巻いて両端同士を結び付けることにより着物を体に固定する服飾品として帯が公知である。和服の服飾美をかたちづくる上において、帯は着物と並んで重要な役割を占める。そのため、女性の場合は、合わせる着物や着用の場面に応じて色彩や模様等の意匠が異なる帯を複数保有するのが通常である。しかしながら、和服を着る機会の少ない男性の場合は、帯を複数保有することは少なく、一つの帯を使いまわしているのが現状であり、服飾美に変化が乏しいという問題があった。
【０００３】
この考案は以上の問題点に鑑みて創作されたものであり、一つの帯で複数種の意匠を実現することを技術的な課題とするものである。一つの帯で複数種の意匠を実現するという発想自体は目新しいものではなく、表裏の意匠を違えてリバーシブルに使用できるようにした、所謂「昼夜帯」や特許文献１及び２に示すように帯の外装布を着脱自在に構成し、一つの帯に対して意匠を違えた複数種の外装布を用意するという考案が公知である。
【特許文献１】実公昭９−１５２４１号公報
【特許文献２】特開２００５−３２５４６３号公報
【考案の開示】
【考案が解決しようとする課題】
【０００４】
しかしながら、前者の「昼夜帯」においては実現できる意匠の種類は最大２種類しかないという問題があった。
【０００５】
又、後者の公知考案においては帯に対して複数種の外装布が附属する結果、常にこれらをセットで保管しておかなくてはならない煩わしさがあり、また附属させる外装布の分コストも嵩むという問題があった。
【課題を解決するための手段】
【０００６】
この考案は一つの帯で複数種の意匠を実現するという作用を上記の従来技術とは異なる技術的思想により実現するものであり、全長方向の中央付近を境に、色彩または模様または色彩及び模様からなる意匠を両方向で違えた構成よりなる。
【考案の効果】
【０００７】
帯は着用にあたり、胴部に二巻き以上するのが通常である。この場合、一巻き目の帯の部分は二巻き目の帯の部分に覆われて外には表れない。この考案によれば全長方向の中央付近を境に、色彩または模様または色彩及び模様からなる意匠を両方向で違えているので、巻き終わりの側の帯の意匠が外に表れることとなる。よって、巻き始め、巻き終わりを違えることにより任意の意匠を選択することが可能となる。
【０００８】
更に、この考案によれば帯の表裏の意匠も違えることにより、最大四種類の意匠の変化を実現できる帯とすることが可能となる。
【０００９】
又、「垂れ」と「手」が交差する帯の結び目部分においてはそれぞれ帯の両端に位置する「垂れ」と「手」は異なる意匠なのでこれらが組合わさって今までにない斬新な意匠を実現することも可能となる。
【００１０】
以上の効果を有するこの考案の帯は交換用の外装布を要さず、帯の締め方によって色彩や模様を変化させることを可能としているのでコストが増大することなく、しかも帯自体は一本で済むので、保管や携帯も容易となる。
【考案を実施するための最良の形態】
【００１１】
以下、この考案の和装用帯の具体的実施例を添付図面に基づいて説明する。図１及び図２はこの考案の第１実施例を示す図である。図中符号１は帯を指す。尚、（Ａ）は帯の表側、（Ｂ）は裏側である。この実施例においては帯１として男性用の角帯を例にとっているが、この考案を実施可能な帯は角帯に限らないことは勿論である。ここでは、帯１の全長方向の中央付近を境に、左方２の表裏の意匠と右方３の表裏の意匠を違えている。この実施例では意匠を違えた例として左方２の色彩を淡色、右方３の色彩を濃色としたものを例示しているが、この考案における意匠には色彩または模様または色彩及び模様が含まれる。又、材質や織り方の違いも、それが外観に表れる限り模様と扱う。
【００１２】
図６及び７は上記の実施例の帯の着用例を示す図である。ここでは帯の右方３を巻き始め側に選択して着用しているので、外に表れのは淡色側である左方２の意匠である。一方、結び目部分（ここでは貝の口を図示している）においては左方２に位置する垂れＲが淡色、右方３に位置する手Ｔが濃色となって表れることとなる。
【００１３】
図３はこの考案の第２実施例を示す図であり、ここでは帯１の右方３の裏側の意匠のみを他の部分の意匠と違えている。
【００１４】
図４はこの考案の第３実施例を示す図であり、ここでは帯１の右方３の表側の意匠と裏側の意匠を違えている。
【００１５】
図５はこの考案の第４実施例を示す図であり、ここでは帯１の左方２の表側の意匠と裏側の意匠、それに右方３の表側の意匠と裏側の意匠の全てを違えている。
【図面の簡単な説明】
【００１６】
【図１】この考案の和装用帯の第１実施例の斜視図。
【図２】同上、表裏の平面図。
【図３】この考案の和装用帯の第２実施例の表裏の平面図。
【図４】この考案の和装用帯の第３実施例の表裏の平面図。
【図５】この考案の和装用帯の第４実施例の表裏の平面図。
【図６】この考案の和装用帯の第１実施例の着用例を示す平面図。
【図７】この考案の和装用帯の第１実施例の着用例を示す平面図。
【符号の説明】
【００１７】
１                帯
２                左方
３                右方
Ｔ                手
Ｒ                垂れ
【図１】
0003122307.tif 000003
【図２】
0003122307.tif 000004
【図３】
0003122307.tif 000005
【図４】
0003122307.tif 000006
【図５】
0003122307.tif 000007
【図６】
0003122307.tif 000008
【図７】
0003122307.tif 000009
(57)【要約】【課題】  破損したウエハーを加工するための、破損したウエハーのための移動装置の提供。【解決手段】  ウエハーの移動装置であって、複数本の棒状部材を有するアーム、およびアームの該棒状部材が進入することができる溝部分を有するウエハーステーションを有する移動装置。【選択図】  図１
0003122353.tif 000002
【実用新案登録請求の範囲】
【請求項１】
ウエハーの移動装置であって、複数本の棒状部材を有するアーム、およびアームの該棒状部材が進入することができる溝部分を有するウエハーステーションを含む移動装置。
【請求項２】
ウエハーがガリウムヒ素、インジウムリンおよびガリウムリンからなる群から選択される物質から作られたウエハーである、請求項１記載の移動装置。
【請求項３】
請求項１または２記載の移動装置を有する、ウエハーの処理装置。
【考案の詳細な説明】
【技術分野】
【０００１】
本考案はウエハー移動装置に関し、特には破損したウエハーを移動するための装置に関する。
【背景技術】
【０００２】
ガリウムヒ素、インジウムリン、ガリウムリンなどの超薄型ウエハーは、加工する際に非常に破損しやすいという問題がある。しかし、従来の超薄型ウエハーの処理装置は全自動であり、破損したウエハーを処理できるものはなかった。そのため、破損したウエハーはそのまま廃棄するしかなく、破損が直接、製品歩留まりに影響を与えていた。
【考案の開示】
【考案が解決しようとする課題】
【０００３】
本考案は、破損したウエハーを加工するための、ウエハーのための移動装置を提供する。
【課題を解決するための手段】
【０００４】
本考案は、ウエハーの移動装置であって、複数本の棒状部材を有するアーム、およびアームの該棒状部材が進入することができる溝部分を有するウエハーステーションを含む移動装置を提供する。アームは複数本、一般的には５−２本、通常は２本の棒状部材を有する。ウエハーステーションはアームの棒状部材が進入することができる溝部分を有する。溝部分は、アームの棒状部材に対応した複数本の溝であることができる。また、溝部分は、複数のアームの棒状部材の全部を進入させることができる１つの大きな溝であってもよい。この溝部分にアームの棒状部材が挿入され、その後アームを上昇させることにより、アームの棒状部材の上にウエハーを保持する。
【０００５】
棒状部材としては、丸棒および角棒など、任意の断面の棒を使用することができる。  また、ウエハーの滑りを防止して安定に保持するために、棒状部材のウエハーと接触する面を粗面にしたり、ウエハーの前方への飛び出しを防止するために、先端部を上方に曲げたりすることができる。さらに、棒状部材を中空として末端を閉じ、表面に真空吸着穴を形成するとともに中空部を真空ポンプおよび減圧タンクなどの減圧装置により減圧にすることにより、真空吸着によりウエハーを保持することもできる。
【０００６】
典型的には、ウエハーはガリウムヒ素、インジウムリンおよびガリウムリンからなる群から選択される物質から作られたウエハーである。
【０００７】
本考案は、さらに本考案にかかる移動装置を有する、ウエハーの処理装置を提供する。ウエハーの処理装置とは、ウエハーを処理するためのすべての装置をいい、たとえば、コーター、現像装置、リンス装置、ベーク装置、クーリング装置などがあげられる。
本考案にかかる移動装置は、破損したウエハーを、ウエハーステーションから処理装置へローディングするため、およびアンローディングするために使用することができる。
ウエハーステーションへのウエハーの供給は、手動で行っても自動で行ってもよい。破損したウエハーの形状はさまざまであるので、簡便には、手動によりウエハーをウエハーステーションの上に置き、アームの複数本の棒状部材の間にウエハーの重心が来るように配置する。
【考案の効果】
【０００８】
本考案により、破損したウエハーの処理を行うことが可能になり、製品の歩留まりが向上する。
【考案を実施するための最良の形態】
【０００９】
本発明の移動装置の例を図１に示す。
ウエハーステーション１には、ロボットアーム２の棒状部材３に対応して、２本の溝４が形成されている。破損したウエハー５が、その重心が２本のロボットアームの間に来るようにウエハーステーション上に置かれる。ロボットアーム２は破損したウエハー５を、棒状部材３により持ち上げ、ウエハー処理装置にローディングする。
【００１０】
本考案の移動装置を含むウエハー処理装置の構成例を図２に示す。
装置には、正常なウエハーのカセット１０と、破損したウエハーのためのウエハーステーション１１が設けられる。ロボットアーム１５により、ウエハーステーション１１から破損したウエハーが、レジスト塗布装置１２，ベーク装置１３，およびクーリング装置１４へローディングされ、処理後にアンローディングされる。各処理装置におけるウエハーステーションにおいても、本考案の移動装置が使用される。
【００１１】
図３に、ウエハーを真空吸着するアームの構成例を示す。棒状部材は中空であり、末端が閉鎖される。表面に真空吸着穴２０を形成し、中空部を配管２１により真空ポンプおよび減圧タンクなどの減圧装置と連結し、途中に真空バルブ（図示せず）を設ける。ウエハー吸着時には真空バルブを開け、中空部を真空としてウエハーを吸着することができる。
【図面の簡単な説明】
【００１２】
【図１】図１は本考案の移動装置の構成例を示す図である。
【図２】図２は本考案の移動装置を含むウエハー処理装置の構成例を示す図である。
【図３】図３はウエハーを真空吸着できるアームの例を示す図である。
【符号の説明】
【００１３】
１：ウエハーステーション
２：ロボットアーム
３：棒状部材
４：溝
５：破損したウエハー
１０：正常なウエハーのカセット
１１：破損したウエハーのためのウエハーステーション
１２：レジスト塗布装置１２
１３：ベーク装置
１４：クーリング装置
２０：真空吸着穴
２１：真空装置への配管
【図１】
0003122353.tif 000003
【図２】
0003122353.tif 000004
【図３】
0003122353.tif 000005
(57)【要約】    【課題】    薬品類その他を収納する戸棚を有する実験用収納庫で、地震発生時に引き戸が外れて落下して破損し、更に戸棚に収納されているびん類が転倒または落下するのを防止する。    【解決手段】    薬品類その他を収納する戸棚の引き戸にねじにて固定されたプレートを設けて、引き戸の開閉が可能であると共に地震発生時に引き戸の落下を防止し、更に、戸棚にセーフティーパイプを取り付けてびん類が転倒、落下するのを防止している。【選択図】            図１
0003122356.tif 000002
【実用新案登録請求の範囲】
【請求項１】
引き戸を有する収納棚を備えた実験用収納庫であって、引き戸の少なくとも上下の枠部分を保持するプレートを設けた実験用収納庫。
【請求項２】
前記プレートが着脱可能である請求項１の実験用収納庫。    
【請求項３】
収納棚内に横に伸びるセーフティーパイプを取り付けた請求項１又は２の実験用収納庫。
【請求項４】
前記収納棚の左右両端付近にパイプ保持具を設け、前記セーフティーパイプを保持具により着脱可能に保持した請求項３の実験用収納庫。
【考案の詳細な説明】
【技術分野】
【０００１】
本考案は、実験用収納庫に関するもので、特に薬品類その他を収納する戸棚の引き戸において、地震等により引き戸が外れて落下するのを防止する機構を設けた実験用収納庫に関するものである。
【背景技術】
【０００２】
実験用収納庫は、実験にて使用する薬品類を収納するための戸棚が設けられている。
【０００３】
このような実験用収納庫の戸棚は、引き戸が取り付けられて、薬品類を取り出す際に引き戸を開閉して使用する。
【０００４】
又近年、地震による災害が問題となり、実験用収納庫においてその安全性が要求されている。
【０００５】
例えば、震度４以上の地震が発生した時、引き戸がはずれ落ちることがあり、これにより、引き戸のガラスが破損し飛び散る等危険である。更に棚に収納されている薬品類が落下し、薬品等危険物が流れ出す等の問題も生ずる。
【０００６】
そのため、戸のガラスが破損して飛び散るのを防止するために、ガラス表面に樹脂膜を貼る等の対策が講じられている。
【０００７】
このように、樹脂膜を貼ることにより、破損したガラス片が飛び散ることは防止し得るものの、ガラス自体は破損し、使用し得ない状態になる。
【０００８】
また、引き戸の落下により収納物も落下し、薬品等の流出による危険性は解消できない。
【０００９】
又、薬品等を入れたびんが転倒等により割れ薬品が流れ出る危険性もある。
【考案の開示】
【考案が解決しようとする課題】
【００１０】
本考案は、地震等により引き戸の落下を防止する機構を設けた実験用収納庫を提供するものである。
【００１１】
更に、棚内部に置かれた薬品等を入れたびん類が転倒するのを防止する機構を設けた実験用収納庫を提供するものである。
【課題を解決するための手段】
【００１２】
本考案の実験用収納庫は、収納棚に取り付けられた引き戸を備えたもので、引き戸が取り付けられた箇所の敷居や鴨居等、少なくとも引き戸の枠の上部および下部に落下防止用のプレートをねじ止め等の方法にて固定したもので、引き戸を外す作業以外の戸の開閉が可能であり、しかも地震等の振動に対し、上下のプレートがガラス戸の上下枠を保持することにより外れ落ちることを防止する。
【００１３】
また、戸棚の中段等に仕切板が設置されていて、引き戸が上下に複数設けられた戸棚においては、敷居、鴨居の他仕切板にも落下防止用プレートを設けることにより、すべての戸の落下防止が可能になる。
【００１４】
更に、本考案は、戸棚内にセーフティーパイプを設けたもので、薬品類の入れたびん類の転倒、落下防止と共に内部でのびん同士の衝突その他による破損や薬品の流出を防止するようにした。
【考案の効果】
【００１５】
本考案は、実験用収納庫の戸が外れるのを防止すると共に通常は戸の開閉が可能である。したがって、地震の発生等により戸が外れて落下することがない。そのために内部に収納されているびん類の落下を防止し得るため安全性が保たれるという効果を有する。更に内部にセーフティーパイプを設けることによりびん類が転倒することもなく、びん類の破損による薬品の流出のおそれがなく、一層安全性を確保し得るという効果を有する。
【考案を実施するための最良の形態】
【００１６】
次に本考案の実施の形態を図をもとに説明する。
【実施例１】
【００１７】
本考案の実施例１は、図１、図２に示す通りで、実験用収納庫の敷居１および鴨居２等に、図２に示す形状のプレート３をねじ４により取り付けたものである。
【００１８】
図２に示す例の場合、中間に仕切板が設けられており、上下２対の引き戸を用いた構成であり、そのため、敷居１、鴨居２の他仕切板５にもねじ７によりプレート６を取り付けた構成である。
【００１９】
これにより、下方の引き戸は、敷居１に設けたプレートと仕切板５に設けたプレートにより落下しないようにしてあり、また上の引き戸は鴨居２と仕切板５に設けられたプレートにより引き戸の落下を防止し得るようになっている。
【００２０】
更に、この実施例の実験用収納庫は、図１に示すように、収納棚内部にセーフティーパイプ１１、１２が設けられている。
【００２１】
このセーフティーパイプ１１、１２は薬品のびんの転倒等を防止するためのもので、したがって、その高さや２本のセーフティーパイプ１１、１２の間隔等は、収納するびん類の大きさ形状により決めればよい。
【００２２】
図３は、このセーフティーパイプの保持具２０で、パイプを挿入保持するために溝２１、２２が形成されている。この保持具２０は、図１に示すように、棚内部の両端部に夫々配置されている。そして、パイプの両端を溝２１、２２を利用して簡単に取り付け保持できる構造である。またパイプの取り外しも簡単に行ない得る。
【産業上の利用可能性】
【００２３】
実験用収納庫の引き戸部分に設けられ、地震等の振動時に引き戸が外れて落下するのを防止すると共に、常時は引き戸の開閉を自由に行ない得る。また実験用収納庫の戸棚内にセーフティーパイプを配置することにより収納されているびん類等の転倒を防止し得るようにした。
【図面の簡単な説明】
【００２４】
【図１】本考案の実験用収納庫の正面図
【図２】本考案の実験用収納庫の要部である保持プレートの取り付け部を示す図
【図３】本考案の実験用収納庫で用いるセーフティーパイプの保持板の構成を示す図
【符号の説明】
【００２５】
１      敷居
２      鴨居
３      プレート
４      ねじ
５      仕切り板
６      プレート
７      ねじ
１１、１２    セーフティーパイプ
２０    保持具
【図１】
0003122356.tif 000003
【図２】
0003122356.tif 000004
【図３】
0003122356.tif 000005
(57)【要約】【課題】  ファッション性を維持しつつ、ずり落ちしないように、フットカバーと一体化した足首カバーを提供すること。【解決手段】  フットカバー付き足首カバー１０は、足首部を覆う足首カバー部３０と、フットカバー部２０が、足甲部に対応する露出部５０を有して、フットカバー部２０の後端の縫合わせ部４０で一体化されている。  足首カバー部３０をフットカバー部２０と一体化させることにより、着脱が容易でありながら、足首カバー部３０が外れにくくなるという実用的な効果があるほか、足甲部を露出させることにより、夏の時期の快適さのほか、ファッションとしてのコーディネート性を高めることができる。【選択図】  図１
0003122379.tif 000002
【実用新案登録請求の範囲】
【請求項１】
足首部を覆う足首カバー部と、フットカバー部が、足甲部に対応する露出部を有して、前記フットカバー部の後端部において一体化されていることを特徴とする、
フットカバー付き足首カバー。
【請求項２】
前記足首カバー部がレース模様を施されたものである、請求項１のフットカバー付き足首カバー。
【考案の詳細な説明】
【技術分野】
【０００１】
本考案は、足首カバー（「アンクル・カバー」とも言う。）の技術分野に属する。
【従来の技術及びその課題】
【０００２】
足首部を覆う足首カバーは、通常、１５〜２０ｃｍの長さで、足首部の保護、又は装飾の目的で使用されるものである。
従来の足首カバーには、上下又は上部のゴム等で止めるタイプ、紐やリボンで止めるタイプ、肌にぴったりと密着するような素材を用いて着用するタイプ等があり、ずり落ちないように、或る程度、工夫されている。
【０００３】
しかし、上記のような従来の足首カバーでは、ずり落ちのため使用できる生地が限られており、ファッション性や汎用性に乏しいという欠点があった。例えば、足首カバーにレース地を使用したいという場合には、下方向へずり落ち、さらに、踵から足先へと脱げてしまうこともあるため、上部をゴム等で止めなければ、足首カバーに使用することができなかった。
特に、パンプス等、比較的ヒールの低い靴を履いている場合には、過度のずり落ちは問題となる。
【考案の開示】
【課題を解決するための手段】
【０００４】
本考案は、足首部を覆う足首カバー部と、フットカバー部が、足甲部に対応する露出部を有して、前記フットカバー部の後端部において一体化されていることを特徴とするフットカバー付き足首カバーによって、前記課題を解決した。
【考案の効果】
【０００５】
本考案によれば、足首カバー部がフットカバー部の後端で、足甲部に対応する露出部を有しながら一体化されていることにより、ファッション性が高く、しかも、着脱が容易で、足首カバー部が外れにくいという実用的な効果を奏する。
【考案の実施の形態】
【０００６】
図１に、本考案のフットカバー付き足首カバー１０の第一実施形態を示す。
このフットカバー付き足首カバー１０は、爪先や踵部を含む足底部を被覆するため伸縮性のある生地からなるフットカバー部２０と、足首部を覆う足首カバー部３０からなる。足首カバー部３０とフットカバー部２０は、フットカバー部２０の後端部の上部で、縫合わせ部４０で、縫合・一体化されている。一体化する方法は、接着でもよい。
【０００７】
このように、足首カバー部３０をフットカバー部２０と一体化することにより、足首カバー部３０が足から外れにくくなる。フットカバー部２０は、入口の周囲にゴムが入れてあるものであると、足から外れにくい。
なお、フットカバー部２０と足首カバー部３０は完全に一体化されているのではなく、足甲部が露出するように、露出部５０が設けてあるので、夏は通気性がよく、快適さが増す。
一方、冬は、下にタイツや靴下等を着用することで、ファッションのコーディネートを楽しむことができる。
【０００８】
図２は、本考案の第２実施形態のフットカバー付き足首カバー１０’を示すもので、この場合の足首カバー部３０’にはレース模様が施されていることにより、ファッション性の高いものになっている。足首カバー部３０’の下端部が波型３２となっていることも、ファッション性を高めている。
【０００９】
さらに、フットカバー部２０’の入口周囲に縁取り２２が施されていることもファッション性を高めている。
【００１０】
以上のように、本考案によれば、足首カバー部がフットカバー部の後端部で、足甲部に対応する露出部を有しながら一体化されていることにより、ファッション性が高いものとなり、しかも、着脱が容易で、足首カバー部が外れにくいという実用的な効果を奏する。
【図面の簡単な説明】
【００１１】
【図１】本考案のフットカバー付き足首カバーの第１実施形態の側面図。
【図２】本考案の第２実施形態のフットカバー付き足首カバーの装着状態の斜視図。
【符号の説明】
【００１２】
１０，１０’：フットカバー付き足首カバー
２０，２０’：フットカバー部
３０，３０’：足首カバー部
４０，４０’：縫合わせ部（一体化部）
５０  ：露出部
【図１】
0003122379.tif 000003
【図２】
0003122379.tif 000004
(57)【要約】      （修正有）【課題】まゆやひげのない人、足りない人、薄い人の悩みを解決するため、またファッション使用としての即日的なつけまゆ、つけひげとして、つけまゆシール、つけひげシールを提供する。【解決手段】かつら的シールををまゆ型やひげ型に加工することで問題点を解決できる。【選択図】図１
0003122388.tif 000002
【実用新案登録請求の範囲】
【請求項１】
アデランスのヘアスキンやそれと同類の商品をまゆ型やひげ型に加工して、つけまゆやひげをつくるシール。
【考案の詳細な説明】
【技術分野】
【０００１】  本考案は、アデランスのヘアスキンやそれと同類のものをつけまゆ的つけひげ的に加工したシールに関するものである
〔背景技術〕【０００２】  カツラ業界においてかつら的シールはあるが（アデランスのヘアスキン等）、つけまゆつけひげシールはない。
〔考案の開示〕
〔考案が解決しようとする課題〕【０００３】  まゆやひげが、ない人、足りない人、薄い人は、それが悩みである。しかし現在、それを解決する有効な商品は少ない。そこが課題であり問題だ。そこで、アデランスのヘアスキンやそれと同類のものを加工して、つけまゆシールやつけひげシールをつくれば、悩みが解決される。
〔課題を解決するための手段〕【０００４】  本考案によって、アデランスのヘアスキンやそれと同類のものをまゆ型やひげ型に加工することで問題点を解決できる。
〔考案の効果〕【０００５】  上述の様にすることで、まゆやひげが、足りない人、ない人、薄い人の悩みが即解決できるとともに、ファションとしてもこのシールは有効である。つまり一般人のファッション的使用もできるというわけである。また役者の役作りにも有効である。
〔考案の実施するための最良の形態〕【０００６】  アデランスのヘアスキンやそれと同類の商品を一定のまゆ型やひげ型のシールに加工する。例ば理想的なまゆの形やひげの形に。むろんそれはシールゆえに、講入者が各自の考えでさらにハサミをいれられるものである。）
【図面の簡単な説明】
【０００７】〔図１〕まゆシールの平面図である。
〔図２〕ひげシールの平面図である。
【符号の説明】
【０００８】１  シールのシート
２  まゆ毛のシール
３  ひげのシール
【図１】
0003122388.tif 000003
【図２】
0003122388.tif 000004
【手続補正書】
【提出日】平成17年4月22日(2005.4.22)
【手続補正１】
【補正対象書類名】実用新案登録請求の範囲
【補正対象項目名】全文
【補正方法】変更
【補正の内容】
【実用新案登録請求の範囲】
【請求項１】
かつらシール（例えば「アデランスのヘアスキン（登録商標）をまゆ型やひげ型に加工して、つけまゆやつけひげをつくるシール。
【手続補正２】
【補正対象書類名】明細書
【補正対象項目名】全文
【補正方法】変更
【補正の内容】
【考案の詳細な説明】
【技術分野】
【０００１】  本考案は、かつら的つけまゆやかつら的つけひげシールに関するものである
〔背景技術〕【０００２】  カツラ業界においてかつら的シールはあるがかつら的つけまゆやつけひげシールはない。
〔考案の開示〕
〔考案が解決しようとする課題〕【０００３】  まゆやひげが、ない人、足りない人、薄い人は、それが悩みである。しかし現在、それを解決する有効な商品は少ない。そこが課題であり問題だ。そこで、かつらシールを加工してかつら的つけまゆシールやかつら的つけひげシールをつくれば、悩みが解決される
〔課題を解決するための手段〕【０００４】  本考案によって、かつらシールをまゆ型やひげ型に加工することで問題点を解決できる。
〔考案の効果〕【０００５】  上述の様にすることで、まゆやひげが、足りない人、ない人、薄い人の悩みが即解決できるとともに、ファションとしてもこのシールは有効である。つまり一般人のファッション的使用もできるというわけである。また役者の役作りにも有効である。
〔考案の実施するための最良の形態〕【０００６】  かつらシールを一定のまゆ型やひげ型のシールに加工する。例ば理想的なまゆの形やひげの形に。むろんそれはシールゆえに、講入者が各自の考えでさらにハサミをいれられるものである。）
【図面の簡単な説明】
【０００７】
【図１】まゆシールの平面図である。
【図２】ひげシールの平面図である。
【符号の説明】
【０００８】１  シールのシート
２  まゆ毛のシール
３  ひげのシール
【手続補正書】
【提出日】平成17年9月30日(2005.9.30)
【手続補正１】
【補正対象書類名】実用新案登録請求の範囲
【補正対象項目名】全文
【補正方法】変更
【補正の内容】
【実用新案登録請求の範囲】
【請求項１】
かつらシールをまゆ型やひげ型に加工して、つけまゆやつけひげをつくるシール。
【手続補正２】
【補正対象書類名】明細書
【補正対象項目名】全文
【補正方法】変更
【補正の内容】
【考案の詳細な説明】
【技術分野】
【０００１】  本考案は、かつら的つけまゆやかつら的つけひげシールに関するものである
【背景技術】
【０００２】  カツラ業界においてかつら的シールはあるがかつら的つけまゆやつけひげシールはない。
【考案の開示】
【考案が解決しようとする課題】
【０００３】  まゆやひげが、ない人、足りない人、薄い人は、それが悩みである。しかし現在、それを解決する有効な商品は少ない。そこが課題であり問題だ。そこで、かつらシールを加工してかつら的つけまゆシールやかつら的つけひげシールをつくれば、悩みが解決される
【課題を解決するための手段】
【０００４】  本考案によって、かつらシールをまゆ型やひげ型に加工することで問題点を解決できる。
【考案の効果】
【０００５】  上述の様にすることで、まゆやひげが、足りない人、ない人、薄い人の悩みが即解決できるとともに、ファションとしてもこのシールは有効である。つまり一般人のファッション的使用もできるというわけである。また役者の役作りにも有効である。
【考案の実施するための最良の形態】
【０００６】  かつらシールを一定のまゆ型やひげ型のシールに加工する。例ば理想的なまゆの形やひげの形に。むろんそれはシールゆえに、講入者が各自の考えでさらにハサミをいれられるものである。）
【図面の簡単な説明】
【０００７】
【図１】まゆシールの平面図である。
【図２】ひげシールの平面図である。
【符号の説明】
【０００８】１  シールのシート２  まゆ毛のシール３  ひげのシール
(57)【要約】      （修正有）【課題】人それぞれの頭に合った高さに自在に調整ができるようにした枕の提供。【解決手段】高さが自在に調整できるよう片方が閉じられた筒状の布に物体を入れもう片方に取り外し可能な止め金具を設ける。【選択図】図１
0003122390.tif 000002
【実用新案登録請求の範囲】
【請求項１】
筒状の布に取り外し可能な金具を付けた枕。
【考案の詳細な説明】
【考案の詳細な説明】
片方が閉じられた  筒状の布に物体を入れ  もう片方に取り外し可能な止め金具を付ける。これにより  閉じられた方向に止め金具を寄せることによって
物体が寄せ集められ膨らみ高くなる。
そして  この高低差を利用し  人それぞれの頭に合った高さに  自在に調整ができるようになる。
【図面の簡単な説明】
【図１】  本案の横図
【符号の説明】
１は止め金具、    ２は筒状の布、    ３は物体。
【図１】
0003122390.tif 000003
【手続補正書】
【提出日】平成17年7月8日(2005.7.8)
【手続補正１】
【補正対象書類名】実用新案登録請求の範囲
【補正対象項目名】全文
【補正方法】変更
【補正の内容】
【実用新案登録請求の範囲】
【請求項１】
片方が閉じられた  筒状の布に物体を入れ  もう片方に取り外し可能な止め金具を付ける。これにより  閉じられた方向に  取り外し可能な止め金具を寄せることによって筒状の物体が寄せ集められ膨らみ  太くなったところで  取り外し可能な止め金具を付け閉じる。
この  取り外し可能な止め金具を付けることによって  筒状の布の膨らみを利用し人それぞれの頭に合った高さに  自由自在に調整ができるようになる。
【手続補正書】
【提出日】平成17年11月22日(2005.11.22)
【手続補正１】
【補正対象書類名】実用新案登録請求の範囲
【補正対象項目名】全文
【補正方法】変更
【補正の内容】
【実用新案登録請求の範囲】
【請求項１】
片方が閉じられた  筒状の布に物体を入れ  もう片方に取り外し可能な止め金具を寄せることによって  筒状の物体が寄せ集められ膨らみ  太くなったところで  取り外し可能な止め金具を付け閉じた  人それぞれの頭の高さに合った  自在に調整できる枕。